(57)【要約】【課題】上下反転機能を有すると共に複数系統の線順次走査用スキャナを備えた画像表示装置において、上下反転動作時に画面に異常表示が起きないよう制御する。【解決手段】スキャナ部は、第１走査線ＶＳＣＡＮ１に映像信号サンプリング用の第１制御信号を供給する第１スキャナ３と、第２走査線ＶＳＣＡＮ２に発光素子点燈用の第２制御信号を供給する第２スキャナ４と、第３走査線ＶＳＣＡＮ３に補正用の第３制御信号を供給する第３スキャナ５とに分かれている。スキャナ部は、画素アレイ部１の線順次走査の方向を切り替えて画像を上下反転表示する反転動作が可能であり、画素アレイ部１に画像を表示中に反転動作を行う時、反転動作の前後一フィールド以内に、第１スキャナ３、第２スキャナ４及び第３スキャナ５にリセットをかけて、誤動作を防止する。【選択図】図１
2007304225.tif 000002
【特許請求の範囲】
【請求項１】
画素アレイ部とこれを駆動する周辺回路部とからなり、
前記画素アレイ部は、行状の走査線と、列状の信号線と、各走査線と各信号線とが交差する部分に行列状に配された画素とを含み、
前記周辺回路部は、一フィールドに渡って該画素アレイ部の線順次走査を行うため各走査線に順次制御信号を供給するスキャナ部と、線順次走査に合わせて映像信号を各信号線に供給して該画素アレイ部に画像を表示するドライバとを含み、
各画素は、少なくともサンプリングトランジスタと、ドライブトランジスタと、スイッチングトランジスタと、補正用トランジスタと、発光素子とを含み、
前記サンプリングトランジスタは、第１走査線から供給される第１制御信号に応じ導通して信号線から供給された映像信号をサンプリングし、
前記ドライブトランジスタは、該サンプリングされた映像信号に応じた出力電流を該発光素子に供給し、
前記発光素子は、該ドライブトランジスタから供給された出力電流により該映像信号に応じた輝度で発光し、
前記スイッチングトランジスタは該出力電流が流れる電流路に配されており、第２走査線から供給される第２制御信号の時間幅に応じてオンし、該出力電流を該発光素子に供給して該時間幅に応じた発光期間だけ該発光素子を発光させ、
前記補正用トランジスタは、第３走査線から供給される第３制御信号に応じ所定の補正期間に動作して、該サンプリングトランジスタ又はスイッチングトランジスタと協働して該ドライブトランジスタの補正動作を行ない、
前記スキャナ部は、少なくとも、該第１走査線に第１制御信号を供給する第１スキャナと、該第２走査線に第２制御信号を供給する第２スキャナと、該第３走査線に第３制御信号を供給する第３スキャナとに分かれており、
前記スキャナ部は、該画素アレイ部の線順次走査の方向を切り替えて画像を上下反転表示する反転動作が可能であり、該画素アレイ部に画像を表示中に反転動作を行う時、反転動作の前後一フィールド以内に、第１スキャナ、第２スキャナ及び第３スキャナの少なくとも一つにリセットをかけることを特徴とする画像表示装置。
【請求項２】
前記補正用トランジスタは、該発光期間に先行する補正期間で、該ドライブトランジスタの閾電圧のばらつきをキャンセルする補正動作を行ない、
前記スキャナ部は、反転動作の前後一フィールド以内に、第１スキャナ、第２スキャナ及び第３スキャナの全てにリセットをかけ、
その際、前記第３スキャナが該画素アレイ部の最初の第３走査線に第３制御信号を印加する直前から１０水平期間以内にリセットをかけることを特徴とする請求項１に記載の画像表示装置。
【請求項３】
前記発光素子は、有機エレクトロルミネッセンス素子であることを特徴とする請求項１に記載の画像表示装置。
【請求項４】
画素アレイ部とこれを駆動する周辺回路部とからなり、
前記画素アレイ部は、行状の走査線と、列状の信号線と、各走査線と各信号線とが交差する部分に行列状に配された画素とを含み、
前記周辺回路部は、一フィールドに渡って該画素アレイ部の線順次走査を行うため各走査線に順次制御信号を供給するスキャナ部と、線順次走査に合わせて映像信号を各信号線に供給して該画素アレイ部に画像を表示するドライバとを含み、
各画素は、少なくともサンプリングトランジスタと、ドライブトランジスタと、スイッチングトランジスタと、補正用トランジスタと、発光素子とを含み、
前記サンプリングトランジスタは、第１走査線から供給される第１制御信号に応じ導通して信号線から供給された映像信号をサンプリングし、
前記ドライブトランジスタは、該サンプリングされた映像信号に応じた出力電流を該発光素子に供給し、
前記発光素子は、該ドライブトランジスタから供給された出力電流により該映像信号に応じた輝度で発光し、
前記スイッチングトランジスタは該出力電流が流れる電流路に配されており、第２走査線から供給される第２制御信号の時間幅に応じてオンし、該出力電流を該発光素子に供給して該時間幅に応じた発光期間だけ該発光素子を発光させ、
前記補正用トランジスタは、第３走査線から供給される第３制御信号に応じ所定の補正期間に動作して、該サンプリングトランジスタ又はスイッチングトランジスタと協働して該ドライブトランジスタの補正動作を行ない、
前記スキャナ部は、少なくとも、該第１走査線に第１制御信号を供給する第１スキャナと、該第２走査線に第２制御信号を供給する第２スキャナと、該第３走査線に第３制御信号を供給する第３スキャナとに分かれており、
前記スキャナ部は、該画素アレイ部の線順次走査の方向を切り替えて画像を上下反転表示する反転動作が可能であり、該画素アレイ部に画像を表示中に反転動作を行う時、該第２スキャナの出力をオフにして、各画素に含まれる発光素子を全て非発光状態にし画素アレイ部を黒表示にすることを特徴とする画像表示装置。
【請求項５】
前記スキャナ部は、反転動作の直後から一フィールド以内で、該第２スキャナの出力をオフにし該画素アレイ部を黒表示にすることを特徴とする請求項４に記載の画像表示装置。
【請求項６】
前記第２スキャナは、線順次走査に合わせて順次第２制御信号を生成するシフトレジスタと、反転動作を行う時、該シフトレジスタによる第２制御信号の生成をそのまま維持しつつ、生成された第２制御信号にマスクをかけて強制的に第２スキャナの出力をオフにすることを特徴とする請求項４に記載の画像表示装置。
【請求項７】
前記発光素子は、有機エレクトロルミネッセンス素子であることを特徴とする請求項４に記載の画像表示装置。
【発明の詳細な説明】
【技術分野】
【０００１】
本発明はアクティブマトリクス型の画像表示装置に関する。詳しくは、各画素に有機ＥＬ素子などの発光素子を用いた画像表示装置に関する。さらに詳しくは、画面の上下反転機能を有する画像表示装置に含まれる複数系統のスキャナの制御技術に関する。
【背景技術】
【０００２】
近年、アクティブマトリクス型画像表示装置として、画素に有機ＥＬ発光素子を用いた有機ＥＬディスプレイが盛んに開発されている。有機ＥＬディスプレイでは、各画素に含まれる有機ＥＬ発光素子を駆動するために薄膜トランジスタ（ＴＦＴ）などのドライブトランジスタが組み込まれている。更にはこのドライブトランジスタのＴＦＴ特性のばらつきを補正するために追加のトランジスタも形成されている。この様な画像表示装置は、例えば以下の特許文献１に記載されている。
【特許文献１】特開２００４−３４７９９３
【０００３】
一般に有機ＥＬディスプレイや液晶ディスプレイ（ＬＣＤ）などのアクティブマトリクス型画像表示装置では、パネルの高機能化を目的として、画面の上下反転機能や左右反転機能を持つものが一般的である。上下反転機能を実現する一般的な手法は、画面の線順次走査を行うＶスキャナを構成するシフトレジスタの転走方向を反転させる方式である。
【発明の開示】
【発明が解決しようとする課題】
【０００４】
ここでＬＣＤの場合、線順次走査によるデータ書き込みを制御するＶスキャナは通常一系統しかない。したがって上下反転を行った場合でも、反転タイミングとデータの同期さえ取れていれば、画像の表示上大きな問題は生じない。
【０００５】
また有機ＥＬディスプレイでも、最も簡便な画素回路を用いた場合Ｖスキャナが一系統しかないため、ＬＣＤと同様に上下反転時にデータとの同期を取れば問題ない。
【０００６】
しかしながら、発光素子を駆動するために画素毎にＴＦＴを形成したアクティブマトリクス有機ＥＬディスプレイでは、各画素毎のＴＦＴ特性のばらつきをキャンセルするため、前述したようにばらつき補正機能を持つ画素回路を用いることが一般的である。この場合、各画素回路を線順次で駆動するため、単一ではなく複数系統のＶスキャナを用いる必要がある。
【０００７】
ここで、複数のＶスキャナは互いに位相関係が存在する。よってＶスキャナを構成するシフトレジスタ内に転送用のデータが残っている状態で、画面の上下反転を行った場合、映像信号のサンプリング動作、ドライブトランジスタの補正動作及び発光素子の駆動などのタイミングが不適切となり、画面がフラッシングするなどの不具合が生じる場合があり、解決すべき課題となっている。
【課題を解決するための手段】
【０００８】
上述した従来の技術の課題に鑑み、本発明は上下反転機能を有すると共に複数系統の線順次走査用スキャナを備えた画像表示装置において、上下反転動作時に画面に異常表示が起きないよう制御することを目的とする。かかる目的を達成するために以下の手段を講じた。即ち本発明にかかる画像表示装置は、画素アレイ部とこれを駆動する周辺回路部とからなり、前記画素アレイ部は、行状の走査線と、列状の信号線と、各走査線と各信号線とが交差する部分に行列状に配された画素とを含み、前記周辺回路部は、一フィールドに渡って該画素アレイ部の線順次走査を行うため各走査線に順次制御信号を供給するスキャナ部と、線順次走査に合わせて映像信号を各信号線に供給して該画素アレイ部に画像を表示するドライバとを含み、各画素は、少なくともサンプリングトランジスタと、ドライブトランジスタと、スイッチングトランジスタと、補正用トランジスタと、発光素子とを含み、前記サンプリングトランジスタは、第１走査線から供給される第１制御信号に応じ導通して信号線から供給された映像信号をサンプリングし、前記ドライブトランジスタは、該サンプリングされた映像信号に応じた出力電流を該発光素子に供給し、前記発光素子は、該ドライブトランジスタから供給された出力電流により該映像信号に応じた輝度で発光し、前記スイッチングトランジスタは該出力電流が流れる電流路に配されており、第２走査線から供給される第２制御信号の時間幅に応じてオンし、該出力電流を該発光素子に供給して該時間幅に応じた発光期間だけ該発光素子を発光させ、前記補正用トランジスタは、第３走査線から供給される第３制御信号に応じ所定の補正期間に動作して、該サンプリングトランジスタ又はスイッチングトランジスタと協働して該ドライブトランジスタの補正動作を行ない、前記スキャナ部は、少なくとも、該第１走査線に第１制御信号を供給する第１スキャナと、該第２走査線に第２制御信号を供給する第２スキャナと、該第３走査線に第３制御信号を供給する第３スキャナとに分かれており、前記スキャナ部は、該画素アレイ部の線順次走査の方向を切り替えて画像を上下反転表示する反転動作が可能であり、該画素アレイ部に画像を表示中に反転動作を行う時、反転動作の前後一フィールド以内に、第１スキャナ、第２スキャナ及び第３スキャナの少なくとも一つにリセットをかけることを特徴とする。
【０００９】
好ましくは、前記補正用トランジスタは、該発光期間に先行する補正期間で、該ドライブトランジスタの閾電圧のばらつきをキャンセルする補正動作を行ない、前記スキャナ部は、反転動作の前後一フィールド以内に、第１スキャナ、第２スキャナ及び第３スキャナの全てにリセットをかけ、その際、前記第３スキャナが該画素アレイ部の最初の第３走査線に第３制御信号を印加する直前から１０水平期間以内にリセットをかける。又前記発光素子は、有機エレクトロルミネッセンス素子である。
【００１０】
又本発明にかかる画像表示装置は、画素アレイ部とこれを駆動する周辺回路部とからなり、前記画素アレイ部は、行状の走査線と、列状の信号線と、各走査線と各信号線とが交差する部分に行列状に配された画素とを含み、前記周辺回路部は、一フィールドに渡って該画素アレイ部の線順次走査を行うため各走査線に順次制御信号を供給するスキャナ部と、線順次走査に合わせて映像信号を各信号線に供給して該画素アレイ部に画像を表示するドライバとを含み、各画素は、少なくともサンプリングトランジスタと、ドライブトランジスタと、スイッチングトランジスタと、補正用トランジスタと、発光素子とを含み、前記サンプリングトランジスタは、第１走査線から供給される第１制御信号に応じ導通して信号線から供給された映像信号をサンプリングし、前記ドライブトランジスタは、該サンプリングされた映像信号に応じた出力電流を該発光素子に供給し、前記発光素子は、該ドライブトランジスタから供給された出力電流により該映像信号に応じた輝度で発光し、前記スイッチングトランジスタは該出力電流が流れる電流路に配されており、第２走査線から供給される第２制御信号の時間幅に応じてオンし、該出力電流を該発光素子に供給して該時間幅に応じた発光期間だけ該発光素子を発光させ、前記補正用トランジスタは、第３走査線から供給される第３制御信号に応じ所定の補正期間に動作して、該サンプリングトランジスタ又はスイッチングトランジスタと協働して該ドライブトランジスタの補正動作を行ない、前記スキャナ部は、少なくとも、該第１走査線に第１制御信号を供給する第１スキャナと、該第２走査線に第２制御信号を供給する第２スキャナと、該第３走査線に第３制御信号を供給する第３スキャナとに分かれており、前記スキャナ部は、該画素アレイ部の線順次走査の方向を切り替えて画像を上下反転表示する反転動作が可能であり、該画素アレイ部に画像を表示中に反転動作を行う時、該第２スキャナの出力をオフにして、各画素に含まれる発光素子を全て非発光状態にし画素アレイ部を黒表示にすることを特徴とする。
【００１１】
好ましくは、前記スキャナ部は、反転動作の直後から一フィールド以内で、該第２スキャナの出力をオフにし該画素アレイ部を黒表示にする。又前記第２スキャナは、線順次走査に合わせて順次第２制御信号を生成するシフトレジスタと、反転動作を行う時、該シフトレジスタによる第２制御信号の生成をそのまま維持しつつ、生成された第２制御信号にマスクをかけて強制的に第２スキャナの出力をオフにする。又前記発光素子は、有機エレクトロルミネッセンス素子である。
【発明の効果】
【００１２】
本発明の第１面によれば、画素アレイ部に画像を表示中に反転動作を行うとき、反転動作の前後一フィールド以内に、複数系統のスキャナにリセットをかけることで、各スキャナを構成するシフトレジスタの内部状態を初期化している。これにより、反転動作に転じたときでも、所定の位相関係を維持して各スキャナが順次正常な線順次走査を行うことが出来る。これにより上下反転表示を行っても画面のフラッシングなどが生じない画像表示装置を提供することが出来る。
【００１３】
また本発明の第２面によれば、画素アレイ部に画像を表示中に反転動作を行うとき、複数系統のスキャナの内、特に発光素子の発光期間を制御するスキャナの出力をオフにする。これにより各画素に含まれる発光素子を全て非発光状態にして、画素アレイ部の画面を黒表示にする。これにより仮に各スキャナのシフトレジスタの反転動作により一時的に位相関係が崩れて異常表示の恐れがある場合でも、画面を黒表示とすることで実際にフラッシングなどが視認される恐れはない。
【発明を実施するための最良の形態】
【００１４】
以下図面を参照して本発明の実施の形態を詳細に説明する。図１は本発明にかかる画像表示装置の全体構成を示すブロック図である。図示する様に、本画像表示装置は基本的に、画素アレイ部１とこれを駆動する周辺回路部とからなる。画素アレイ部１は、行状の走査線ＶＳＣＡＮと、列状の信号線ＤＡＴＡと、各走査線ＶＳＣＡＮと各信号線ＤＡＴＡとが交差する部分に状列状に配された画素２とを含む。個々の画素２の行番号及び列番号を括弧を付して表してある。例えば１行目で１列目に位置する画素は（１，１）で表される。また走査線ＶＳＣＡＮの行番号も括弧を付して表してある。例えば１行目（１ライン目）の走査線はＶＳＣＡＮ（１）で表される。加えて信号線ＤＡＴＡの列番号も括弧を付して表してある。例えば１列目の信号線はＤＡＴＡ（１）で表される。また本明細書では、走査線ＶＳＣＡＮに供給される制御信号を同じ符号ＶＳＣＡＮを用いて表す場合がある。同様に信号線ＤＡＴＡに供給される映像信号を表す場合も同じ符号ＤＡＴＡを用いる場合がある。
【００１５】
周辺回路部は、一フィールドに渡って画素アレイ部１の線順次走査を行うため各走査線ＶＳＣＡＮに順次制御信号ＶＳＣＡＮを供給するスキャナ部と、線順次走査に合わせて映像信号ＤＡＴＡを各信号線ＤＡＴＡに供給して画素アレイ部１に画像を表示するＨドライバ６とを含む。
【００１６】
各画素２は、少なくともサンプリングトランジスタと、ドライブトランジスタと、スイッチングトランジスタと、補正用トランジスタと、有機ＥＬデバイスなどの発光素子とを含む。サンプリングトランジスタは、第１走査線ＶＳＣＡＮ１から供給される第１制御信号ＶＳＣＡＮ１に応じ導通して信号線ＤＡＴＡから供給された映像信号ＤＡＴＡをサンプリングする。ドライブトランジスタは、サンプリングされた映像信号ＤＡＴＡに応じた出力電流を発光素子に供給する。発光素子は、ドライブトランジスタから供給された出力電流により映像信号ＤＡＴＡに応じた輝度で発光する。スイッチングトランジスタは出力電流が流れる電流路に配されており、第２走査線ＶＳＣＡＮ２から供給される第２制御信号ＶＳＣＡＮ２の時間幅に応じてオンし、出力電流を発光素子に供給して時間幅に応じた発光期間だけ発光素子を発光させる。補正用トランジスタは、第３走査線ＶＳＣＡＮ３から供給される第３制御信号ＶＳＣＡＮ３に応じ所定の補正期間に動作して、サンプリングトランジスタまたはスイッチングトランジスタと協働してドライブトランジスタの補正動作を行う。
【００１７】
スキャナ部は、少なくとも第１走査線ＶＳＣＡＮ１に第１制御信号を供給する第１スキャナ（Ｖスキャナ１）３と、第２走査線ＶＳＣＡＮ２に第２制御信号を供給する第２スキャナ（Ｖスキャナ２）４と、第３走査線ＶＳＣＡＮ３に第３制御信号を供給する第三スキャナ（Ｖスキャナ３）とに分かれている。このスキャナ部は、画素アレイ部１の線順次走査の方向を切換えて画像を上下反転表示する反転動作が可能である。本発明の特徴事項として、この画素アレイ部１に画像を表示中に反転動作を行うとき、反転動作の前後一フィールド以内に、第１スキャナ３、第２スキャナ４及び第３スキャナ５の少なくとも１つにリセットをかける。
【００１８】
好ましくは各画素１に含まれる補正用トランジスタは、発光期間に先行する補正期間で、ドライブトランジスタの閾電圧のばらつきをキャンセルする補正動作を行う。この場合スキャナ部は、反転動作の前後一フィールド以内に、第１スキャナ３、第２スキャナ４及び第３スキャナ５の全てにリセットをかける。その際第３スキャナ５が画素アレイ部１の最初の第３走査線ＶＳＣＡＮ３（１）に第３制御信号を印加する直前から１０水平期間以内にリセットをかける。
【００１９】
本発明の第２面では、画素アレイ部１に画像を表示中に反転動作を行うとき、第２スキャナ４の出力をオフにして、各画素２に含まれる発光素子を全て非発光状態にし、画素アレイ部１を黒表示にする。好ましくは、スキャナ部は、反転動作の直後から一フィールド以内で、第２スキャナ４の出力をオフにし画素アレイ部１を黒表示とする。具体的な構成では、この第２スキャナ４は、線順次走査に合わせて順次第２制御信号ＶＳＣＡＮ２を生成するシフトレジスタと、反転動作を行うときこのシフトレジスタによる第２制御信号ＶＳＣＡＮ２の生成をそのまま維持しつつ、生成された第２制御信号ＶＳＣＡＮ２にマスクをかけて強制的に第２スキャナ４の出力をオフにする。
【００２０】
図２は、図１に示した画像表示装置に含まれる画素２の基本的な構成例を示す回路図である。図示する様に、画素２は少なくともサンプリングトランジスタＴｒ１と、ドライブトランジスタＴｒｄと、スイッチングトランジスタＴｒ２と、補正用トランジスタＴｒ３と、発光素子ＯＬＥＤとを含む。ドライブトランジスタＴｒｄは例えばＰチャネル型であり、そのドレインが電源ラインＶＤＤ１に接続し、ソースがスイッチングトランジスタＴｒ２を介して二端子型発光素子ＯＬＥＤのアノードに接続している。スイッチングトランジスタＴｒ２は例えばＮチャネル型であり、ドライブトランジスタＴｒｄと発光素子ＯＬＥＤとの間に挿入されている。スイッチングトランジスタＴｒ２のゲートは第２走査線ＶＳＣＡＮ２（ｉ）に接続されている。なおスイッチングトランジスタＴｒ２の挿入位置は図示の例に限られるものではなく、発光素子ＯＬＥＤに流れる出力電流の電流路に介在していれば良い。発光素子ＯＬＥＤのカソードは接地電位Ｖｓｓ１に接続されている。図示の例から明らかなように、出力電流は電源ラインＶＤＤ１からドライブトランジスタＴｒｄ及びスイッチングトランジスタＴｒ２を介して発光素子ＯＬＥＤを通り、接地ラインＶＳＳ１に流れ込んでいく。
【００２１】
一方サンプリングトランジスタＴｒ１は例えばＮチャネル型であり、信号線ＤＡＴＡから付加回路７を介してドライブトランジスタＴｒｄのゲートに接続されている。サンプリングトランジスタＴｒ１のゲートは第１走査線ＶＳＣＡＮ１（ｉ）に接続されている。補正用トランジスタＴｒ３は付加回路７に含まれており、そのゲートは第３走査線ＶＳＣＡＮ３（ｉ）に接続されている。
【００２２】
かかる構成においてサンプリングトランジスタＴｒ１は、第１走査線ＶＳＣＡＮ１（ｉ）から供給される第１制御信号に応じ導通して信号線ＤＡＴＡから供給された映像信号をサンプリングする。実際にはこのサンプリングされた映像信号は付加回路７に保持される。ドライブトランジスタＴｒｄは、サンプリングされた映像信号に応じた出力電流を発光素子ＯＬＥＤに供給する。発光素子ＯＬＥＤは例えば有機ＥＬデバイスからなり、ドライブトランジスタＴｒｄから供給された出力電流により映像信号に応じた輝度で発光する。スイッチングトランジスタＴｒ２は、出力電流が流れる電流路に配されており、第２走査線ＶＳＣＡＮ２（ｉ）から供給される第２制御信号の時間幅に応じてオンし、出力電流を発光素子ＯＬＥＤに供給して時間幅に応じた発光時間だけ発光素子ＯＬＥＤを発光させる。補正用トランジスタＴｒ３は付加回路７に含まれており、第３走査線ＶＳＣＡＮ３（ｉ）から供給される第３制御信号に応じ所定の補正期間に動作して、サンプリングトランジスタＴｒ１またはスイッチングトランジスタＴｒ２などと協働してドライブトランジスタＴｒｄの補正動作を行う。
【００２３】
図３は、図２に示した画素に含まれる付加回路７の具体的な構成例を示す回路図である。図示する様に、この付加回路７は画素容量Ｃｓと補正用トランジスタＴｒ３と更に別の補正用トランジスタＴｒ４とで構成されている。画素容量ＣｓはドライブトランジスタＴｒｄのゲートとソースとの間に挿入されている。補正用トランジスタＴｒ３はドラブトランジスタＴｒｄのソースと所定の初期化電位Ｖｉｎｉとの間に接続されている。この補正用トランジスタＴｒ３のゲートは前述したように第３走査線ＶＳＣＡＮ３（ｉ）に接続されている。別の補正用トランジスタＴｒ４はドライブトランジスタＴｒｄのゲートと所定の基準電位Ｖｏｆｓとの間に接続されている。この補正用トランジスタＴｒ４のゲートは第４走査線ＶＳＣＡＮ４（ｉ）に接続されている。この例から明らかなように、補正用トランジスタの数に応じて対応する走査線が増え、その分これを駆動するＶスキャナの数が増えることになる。なお図では発光素子ＯＬＥＤの等価容量をＣｏｌｅｄとして表してある。
【００２４】
図３の下段に、本画素回路の動作説明に供するタイミングチャートを載せている。このタイミングチャートは各トランジスタのゲートに供給される第１ないし第４制御信号ＶＳＣＡＮ１（ｉ）ないしＶＳＣＡＮ４（ｉ）の波形と共に、ｉ行目の画素２の駆動状態を表している。この駆動状態はドライブトランジスタＴｒｄに対する補正期間と、映像信号の書込期間と、発光素子ＯＬＥＤの発光期間と、同じく消灯期間とに分かれている。先頭の補正期間では、まずＶＳＣＡＮ３（ｉ）がハイレベルとなり、補正用トランジスタＴｒ３がオンとなってドライブトランジスタＴｒｄのソースを初期電位Ｖｉｎｉに初期化する。また制御信号ＶＳＣＡＮ４（ｉ）もハイレベルとなって他の補正用トランジスタＴｒ４がオンになる。これによりドライブトランジスタＴｒｄのゲートが基準電位Ｖｏｆｓに設定される。この状態で補正用トランジスタＴｒ３がオフした後制御信号ＶＳＣＡＮ２（ｉ）がハイレベルとなってスイッチングトランジスタＴｒ２がオンする。これにより出力電流がＶＤＤ１からドライブトランジスタＴｒｄを通って流れ始める。このとき発光素子ＯＬＥＤのアノード電位は初期化電位Ｖｉｎｉによって逆バイアス状態となっているため、出力電流は発光素子ＯＬＥＤに流れない。この出力電流は発光素子ＯＬＥＤの等価容量Ｃｏｌｅｄを充電することなく、画素容量Ｃｓを充電することになる。この画素容量Ｃｓに書き込まれる電位が丁度ドライブトランジスタＴｒｄの閾電圧ＶｔｈとなったところでドライブトランジスタＴｒｄがカットオフする。この動作により、ドライブトランジスタＴｒｄの閾電圧のキャンセルに必要な電圧分が画素容量Ｃｓに保持される。
【００２５】
このあと書込期間になると制御信号ＶＳＣＡＮ１（ｉ）がハイレベルとなりサンプリングトランジスタＴｒ１がオンする。これにより信号線ＤＡＴＡから映像信号がサンプリングされ、画素容量Ｃｓに書き込まれる。その後発光期間になると制御信号ＶＳＣＡＮ２（ｉ）が再びハイレベルとなり、スイッチングトランジスタＴｒ２がオンする。従って出力電流が電源ラインＶＤＤ１からドライブトランジスタＴｒｄを通って発光素子ＯＬＥＤに流れ込み、発光状態に入る。このときの出力電流は画素容量Ｃｓにサンプリングされた映像信号に応じたレベルとなる。この後制御信号ＶＳＣＡＮ２（ｉ）がローレベルになると発光素子ＯＬＥＤは消灯期間に入る。この様に制御信号ＶＳＣＡＮ２（ｉ）は発光素子ＯＬＥＤの発光期間を制御している。この発光期間を制御することで、画面の輝度レベルを調整可能である。
【００２６】
図４は、図３に示した画素で構成される画素アレイの駆動状態を示す模式図である。図示の例は、画素アレイの上から下に向かって順に線順次走査を行った場合である。画素アレイの各ライン（画素行）毎に上から順に補正動作、書込動作、発光動作及び消灯動作を行って画像を表示する。ライン毎に線順次走査が時間軸で後方にシフトしていくので、補正期間、書込期間、発光期間及び消灯期間を区切る線が左上から右下に向かって傾斜している。
【００２７】
図５は、Ｖスキャナの線順次走査を示す模式的なタイミングチャートである。上段が上から下に向かう転走動作を表し、下段が下から上に向かう転走動作を表している。上から下への転走動作では、Ｖスキャナはｉ番目のラインからｉ＋４番目のラインに向かって上から順に制御信号を出力する。具体的にはＶスキャナはシフトレジスタから構成されており、外部から入力されるクロック信号に応じて動作し、同じく外部から入力されるスタートパルスを一水平周期（１Ｈ）ごと順に転走して、制御信号をｉ行、ｉ＋１行、ｉ＋２行、ｉ＋３行、ｉ＋４行・・・のように出力していく。
【００２８】
逆にしたから上に向かう転走では、Ｖスキャナのシフトレジスタは下から上に向かってスタートパルスの転走を行い、制御信号をｉ＋４行、ｉ＋３行、ｉ＋２行、ｉ＋１行、ｉ行の順に出力していく。これにより画像は上下反転して画面に表示される。
【００２９】
なおこの上下反転機能は全てのＶスキャナ１，２，３，４において共通である。通常これらのＶスキャナ１ないし４は互いに一定の位相関係を維持するため、共通のクロック信号で動作する。異なる点は各Ｖスキャナに割り当てられた機能に従ってスタートパルスの波形及び入力タイミングが異なることである。
【００３０】
図６は、上下反転機能を有するＶスキャナの構成例を示す回路図である。前述したように、Ｖスキャナはシフトレジスタ（ＳＲ）の多段接続からなり、クロック信号に応じて順次スタートパルスを転走して制御信号ＶＳＣＡＮ（ｉ）を各段毎に出力する。
【００３１】
図６は上から下に向かう転走動作を表している。シフトレジスタの各段は、転走入力端子ＩＮと転走出力端子ＯＵＴが設けてある。各段の転走入力端子ＩＮと転走出力端子ＯＵＴの接続をスイッチで切換えることで上から下への転走と下から上への転走を切換えることが可能である。この目的でシフトレジスタの各段には切換え用のスイッチが取り付けられている。これらのスイッチは外部から供給される上下反転信号によってオンオフ制御されている。上下反転信号がハイレベルＨｉのとき各スイッチはスタートパルスが上から下に向かって転走されるように接続される。例えばｉ段目のＳＲに入力されたスタートパルスはクロック信号に同期して出力端子ＯＵＴから出力され、次ラインｉ＋１の入力端子ＩＮに転走される。再びクロック信号に同期して出力端子ＯＵＴから出力されたスタートパルスは更に次のラインｉ＋２のＳＲの入力端子ＩＮに供給される。この様にしてスタートパルスが順次シフトレジスタの上段側から下段側に向かって転走される間に、制御信号ＶＳＣＡＮ（ｉ）、（ｉ＋１）、（ｉ＋２）・・・が出力される。
【００３２】
図７は、同じくシフトレジスタの転走動作を表しており、スタートパルスを下から上に向かって転走する場合である。このときには上下反転信号がローレベル（Ｌｏ）となって、スターとパルスの転走路が切換えられている。下から上に向かう転走では、スタートパルスがシフトレジスタの最上段ではなく最下段に入力され、ここから上に向かって転走される。例えばｉ＋４ライン目のＳＲに入力した信号は一クロック分だけ遅延して出力され、次のラインｉ＋３のＳＲの入力端子に供給される。ここで一水平期間だけ遅延して出力され更に前のラインｉ＋２の段のＳＲに転走されていく。
【００３３】
図８は、図１に示した画像表示装置のスキャナ部の動作説明に供する模式図である。この例は、画素アレイ部に画像を表示中に各Ｖスキャナの転走方向を切換えた場合である。即ちスキャナ部に入力する上下反転信号がハイレベルからローレベルに切換ることで、Ｖスキャナの転走方向は上から下に向かう順方向転走を、下から上に向かう逆転走方向に切換る。この間、スキャナ部を構成するＶスキャナ１，Ｖスキャナ２，Ｖスキャナ３などは常にクロック信号に応じて動作状態（ａｃｔｉｖｅ）にあり、転走動作を行っている。各Ｖスキャナが転走動作を行っている途中で上下反転信号により転走路を切換え、これにより順方向転走と逆方向転走とをスイッチングしている。
【００３４】
しかしながら転走方向を切換える反転時、何ら対策を施さないとＶスキャナ１，Ｖスキャナ２，Ｖスキャナ３から順次出力される制御信号の位相関係に不整合が生じ、フラッシングなどの画面異常が生じる恐れがある。
【００３５】
図９は、上述した反転動作時に生じる画面異常に対して取られた対策を示したタイミングチャートである。理解を容易にするため、図８と同様の表記を採用している。図から明らかなように、画素アレイ部に画像を表示中に上下反転信号がレベル変化して反転動作を行うとき、この反転動作の前後一フィールド以内に、Ｖスキャナ１，Ｖスキャナ２及びＶスキャナ３の少なくとも１つにリセットをかけている。本実施例では、全てのＶスキャナ１，２，３にリセットをかけている。その目的で、各Ｖスキャナ１，２，３に対してそれぞれ同一のタイミングでリセット信号が入力される。このリセット信号により、各々動作状態（ａｃｔｉｖｅ）にあったＶスキャナ１，２，３は一旦リセットされ、その後再び先頭から転走動作を開始する。この様にリセットをかけることでＶスキャナを構成するシフトレジスタの各段の論理状態がリセットされ、各Ｖスキャナ１，２，３の間の位相関係の不整合が反転動作によって生じないようにしている。全てのＶスキャナ１，２，３をリセットで初期化した後、改めて転走動作を開始することで所定のシーケンスに従った表示動作を行うことが出来る。
【００３６】
図１０はリセットをかける場合の最も好ましいタイミングを示した模式図である。リセットのタイミングが不適切であると、やはり画面異常の原因となる可能性がある。前述したように閾電圧補正機能を組み込んだ各画素の駆動タイミングは、ライン単位で「補正期間」「データ書込期間」「発光期間」となるのが一般的である。そこで補正期間の前にリセットをかけることが適当である。またあまり早めにリセットをかけると画質劣化の原因となる為、補正期間の直前１０水平期間でリセットをかけることで、反転時の画面フラッシュなどの異常を防ぎながら、画面リセットによる画質劣化を最小限に抑えることが可能である。
【００３７】
図１１は本発明にかかる画像表示装置に組み込まれるＶスキャナの構成例を示す回路図である。このＶスキャナは上下反転機能とリセット機能を備えている。Ｖスキャナを構成するシフトレジスタの各段は画素に対する出力端子とスタートパルスの転走入力端子及び転走出力端子に加え、リセット端子を備えている。シフトレジスタの各段のリセット端子（ｒｅｓｅｔ）にはＶスキャナリセット信号が外部から供給される。このＶスキャナリセット信号は上下反転信号の切換りに同期して入力され、シフトレジスタを一旦リセットするようにしている。
【００３８】
図１２は、本発明にかかる画像表示装置の別の実施形態を示す模式的なタイミングチャートである。理解を容易にするため図９に示した先のタイミングチャートと同様の表記を採用している。異なる点は図９に示した先の実施形態が反転時に各Ｖスキャナをリセットしたのに対し、本実施形態は反転時にＶスキャナ２の出力を強制オフしていることである。各画素に含まれる発光素子の発光及び非発光を制御するＶスキャナ２の出力を強制的にオフすることで画面表示を止めることが出来る。これによってフラッシュなどの画面異常が視認されないようになる。なおＶスキャナ２を強制的にオフした場合画面が黒表示となる為、これが長期間にわたるとやはり画面異常と誤認される場合がある。一方Ｖスキャナは反転してから一フィールド期間動作すると、Ｖスキャナを構成するシフトレジスタの転送データは全て反転後のデータでリフレッシュされるのが通常である。そこでＶスキャナ２の強制オフ期間は、反転後の一フィールド以内でよい。これによって画面非表示（黒表示）による画質劣化を最小限に抑えながら、反転時の画面異常を防ぐことが可能である。
【００３９】
図１３は、図１２に示した実施形態を実現するＶスキャナ２の構成例を示す模式的な回路図である。図示する様にＶスキャナ２はシフトレジスタＳＲからなり、画素に対する出力端子と転走入力端子ＩＮ及び転走出力端子ＯＵＴを備えている。各段の転走入力端子ＩＮ及び転走出力端子ＯＵＴには転走路を切換えるためのスイッチが取り付けられている。このスイッチは上下反転信号によって切換えられる。シフトレジスタＳＲの各段にはアンドゲート素子が取り付けられており、Ｖスキャナ２の強制オフ信号によってゲートの開閉が制御されている。この様にＶスキャナ２は、線順次走査に合わせて順次第２制御信号ＶＳＣＡＮ２（ｉ）、ＶＳＣＡＮ２（ｉ＋１）、ＶＳＣＡＮ２（ｉ＋２）・・・を生成するシフトレジスタＳＲと、反転動作を行うとき、シフトレジスタＳＲによる第２制御信号ＶＳＣＡＮ２の生成をそのまま維持しつつ、生成された第２制御信号ＶＳＣＡＮ２にマスクをかけて強制的にＶスキナ２の出力をオフにしている。前述したようにＶスキャナは反転してから一フィールド期間によってそのシフトレジスタの内部データは全て反転後のデータにリフレッシュされる。そこでＶスキャナ２の強制オフ期間は反転後一フィールド以内で良い。このためにＶスキャナ２を強制オフする場合も、Ｖスキャナ２のシフトレジスタＳＲは通常通り動作させておく必要がある。従ってＶスキャナ２の回路構成は図１３に示したように、シフトレジスタＳＲで通常通り転走動作を行いながら、シフトレジスタＳＲの各段の出力に対してマスクをかけることで強制オフとしている。
【図面の簡単な説明】
【００４０】
【図１】本発明にかかる画像表示装置の全体構成を示すブロック図である。
【図２】図１に示した画像表示装置に組み込まれる画素の一般的な構成例を示す回路図である。
【図３】同じく画素の具体的な構成例を示す回路図及びタイミングチャートである。
【図４】画像表示装置の動作説明に供する模式図である。
【図５】画像表示装置の反転動作を示す模式的なタイミングチャートである。
【図６】反転機能を有するスキャナの構成を示す回路図である。
【図７】同じく反転機能を有するスキャナの回路図である。
【図８】画像表示装置の上下反転動作を示すタイミングチャートである。
【図９】本発明にかかる画像表示装置の第１実施形態を示すタイミングチャートである。
【図１０】同じく第１実施形態を示す模式図である。
【図１１】同じく第１実施形態に用いるＶスキャナの回路構成図である。
【図１２】本発明にかかる画像表示装置の第２実施形態を示すタイミングチャートである。
【図１３】第２実施形態に用いるＶスキャナの構成例を示す回路図である。
【符号の説明】
【００４１】
１・・・画素アレイ部、２・・・画素、３・・・第１スキャナ（Ｖスキャナ１）、４・・・第２スキャナ（Ｖスキャナ２）、５・・・第３スキャナ（Ｖスキャナ３）、６・・・Ｈドライバ
【図１】
2007304225.tif 000003
【図２】
2007304225.tif 000004
【図３】
2007304225.tif 000005
【図４】
2007304225.tif 000006
【図５】
2007304225.tif 000007
【図６】
2007304225.tif 000008
【図７】
2007304225.tif 000009
【図８】
2007304225.tif 000010
【図９】
2007304225.tif 000011
【図１０】
2007304225.tif 000012
【図１１】
2007304225.tif 000013
【図１２】
2007304225.tif 000014
【図１３】
2007304225.tif 000015